(57)【特許請求の範囲】
【請求項１】
縦方向に配置されるとともに、室外側部分に見付け面の全幅をカバーする室外側壁面を備える一方側分割方立と他方側分割方立とを組み合わせて所定の閉合断面を成す分割式方立とされる方立部材と、方立部材間に横架された横方向部材とにより開口部が形成され、該開口部にガラス等のパネルが設置されるとともに、前記一方側分割方立と他方側分割方立との室外面側接合部及び室内面側接合部のそれぞれにおいて、一方側分割方立の内面側に一方側係合片を形成するとともに、他方側分割方立に前記一方側係合片と係合する他方側係合片を形成し、前記一方側分割方立の一方側係合片と、他方側分割方立の他方側係合片とを夫々係合させながら組み合わせることにより前記一方側分割方立と他方側分割方立とが相互に室外側方向及び室内側方向の変位が規制されるようにした低階層建物用サッシ及びカーテンウォールであって、
前記一方側分割方立と他方側分割方立との室外面側接合部において、前記一方側分割方立は、他方側分割方立との接合部となる前記室外側壁面の先端内面側には段部が形成されているとともに、前記段部から内方側に若干離間した位置に、一方側係合片となる断面略Ｌ字状の室外側係合片が形成され、
前記他方側分割方立は、室外側部分に前記一方側分割方立の室外側壁面の段部に室内側から当接する衝合片と、この衝合片と対面して形成された、他方側係合片となる室外側係合片とを備えるとともに、前記衝合片と室外側係合片との間に室外側タイト材が横架され、
前記一方側分割方立の室外側係合片と、他方側分割方立の室外側係合片とが係合しながら組み合わされ、前記一方側分割方立の室外側壁面先端の段部に対し、他方側分割方立の衝合片が室内側から当接することにより、前記一方側分割方立の室内側方向の変位及び前記他方側分割方立の室外側方向の変位が夫々規制されるとともに、前記室外側タイト材が一方側分割方立の室外側壁面に接触することより水密性が確保されるようになっていることを特徴とする低階層建物用サッシ及びカーテンウォール。
【請求項２】
前記分割方立同士の室内側接合部は、方立断面の室内外方向中心線を挟んで前記室外側接合部とは反対側に位置している請求項１記載の低階層建物用サッシ及びカーテンウォール。
【請求項３】
前記一方側分割方立及び他方側分割方立は、見込み面の中間部にガラス嵌合溝用凹部を有し、組み合わせ状態で前記ガラス嵌合溝凹部同士がビスにより接合されている請求項１〜２いずれかに記載の低階層建物用サッシ及びカーテンウォール。
【発明の詳細な説明】
【０００１】
【発明の属する技術分野】
本発明は、大型化したガラス窓を含む店舗ビルや低階層用商業ビルなどにおいて、ガラスを支持する縦方向部材のコンパクト化を図った低階層建物用サッシ及びカーテンウォールに関する。
【０００２】
【従来の技術】
特に、１階部分に店舗を含む店舗ビルや低階層用商業ビルなど（以下、纏めて低階層用建物という。）では、ガラス窓を大型化し、歩行者等から店舗内部が良く見えるようにガラスを支持する縦部材および横部材を意匠的にすっきりさせたものが提案されている。
【０００３】
本出願人においても、特開2000-265607号公報において、縦・横枠材の段差を無くしたガラス嵌め殺しのフラット窓構造を提案した。かかる窓構造において採用される縦部材（方立）５０の断面形状は、図１１に示されるように、主縦枠５１と副縦枠５２とを組み合わせて所定の閉合断面を成す分割式方立とされ、主縦枠５１の室外壁５１ａが方立５０の室外壁を構成し、副縦枠５２は縦ガラス開口溝５２Ａを有し、この副縦枠５２は主縦枠５１の室外壁５１ａの室内側に隠れて、副縦枠５２と主縦枠５１とがたとえばビス５３により一体化されて方立５０を構成している。前記副縦枠５２の室外側にはタイト材５４が設けられて、これが主縦枠５１の室外壁５１ａ内面に当接してシールを図るようにしてある。このタイト材５４を境とする副縦枠５２と主縦枠５１との間の空間、並びに主縦枠５１の室外側閉鎖空間の上限端部にはそれぞれ端部シール受け部材５５，５６が設けられている。
【０００４】
【発明が解決しようとする課題】
しかしながら、前記方立構造の場合には、主縦枠５１が方立断面の３辺を構成し、残る一辺を副縦枠５２が構成する断面構造となっているため、前記副縦枠５２の剛性不足からガラス面に負圧や正圧が働いた際、前記主縦枠５１と副縦枠５２との接合部となる室外側コーナー部分Ａにおいて隙間が生じ、雨水等が浸入したり、見栄えが悪くなったりするなどの問題があった。
【０００５】
この種の店舗ガラス窓では、横部材の間隔を大きくしたり、または無くして視界を遮らないようにするとともに、縦部材断面を極力小さくしてコンパクト化を図り、見付け幅を小さくすることにより店舗内部が良く見えるようにしたものが強く望まれる傾向にある。
【０００６】
そこで本発明の主たる課題は、縦方向に配置された方立部材と、方立部材間に横架された横方向部材とにより開口部が形成され、該開口部にガラスが設置されるとともに、前記方立部材が一方側分割方立と他方側分割方立とを組み合わせて所定の閉合断面を成す分割式方立とされる低階層建物用サッシ及びカーテンウォールにおいて、前記方立部材の見付け幅を、または見付け幅及び見込み幅を極力小さくしてコンパクト化を図りながらも、負圧や正圧が作用しても十分な抵抗力を示すようにし、分割方立の接合部分に隙間が生じたりしないようにすることにある。
【０００７】
【課題を解決するための手段】
前記課題を解決するために請求項１に係る本発明として、縦方向に配置されるとともに、室外側部分に見付け面の全幅をカバーする室外側壁面を備える一方側分割方立と他方側分割方立とを組み合わせて所定の閉合断面を成す分割式方立とされる方立部材と、方立部材間に横架された横方向部材とにより開口部が形成され、該開口部にガラス等のパネルが設置されるとともに、前記一方側分割方立と他方側分割方立との室外面側接合部及び室内面側接合部のそれぞれにおいて、一方側分割方立の内面側に一方側係合片を形成するとともに、他方側分割方立に前記一方側係合片と係合する他方側係合片を形成し、前記一方側分割方立の一方側係合片と、他方側分割方立の他方側係合片とを夫々係合させながら組み合わせることにより前記一方側分割方立と他方側分割方立とが相互に室外側方向及び室内側方向の変位が規制されるようにした低階層建物用サッシ及びカーテンウォールであって、
前記一方側分割方立と他方側分割方立との室外面側接合部において、前記一方側分割方立は、他方側分割方立との接合部となる前記室外側壁面の先端内面側には段部が形成されているとともに、前記段部から内方側に若干離間した位置に、一方側係合片となる断面略Ｌ字状の室外側係合片が形成され、
前記他方側分割方立は、室外側部分に前記一方側分割方立の室外側壁面の段部に室内側から当接する衝合片と、この衝合片と対面して形成された、他方側係合片となる室外側係合片とを備えるとともに、前記衝合片と室外側係合片との間に室外側タイト材が横架され、
前記一方側分割方立の室外側係合片と、他方側分割方立の室外側係合片とが係合しながら組み合わされ、前記一方側分割方立の室外側壁面先端の段部に対し、他方側分割方立の衝合片が室内側から当接することにより、前記一方側分割方立の室内側方向の変位及び前記他方側分割方立の室外側方向の変位が夫々規制されるとともに、前記室外側タイト材が一方側分割方立の室外側壁面に接触することより水密性が確保されるようになっていることを特徴とする低階層建物用サッシ及びカーテンウォールが提供される。
【０００８】
請求項２に係る本発明として、前記分割方立同士の室内側接合部は、方立断面の室内外方向中心線を挟んで前記室外側接合部とは反対側に位置している請求項１記載の低階層建物用サッシ及びカーテンウォールが提供される。
【０００９】
請求項３に係る本発明として、前記一方側分割方立及び他方側分割方立は、見込み面の中間部にガラス嵌合溝用凹部を有し、組み合わせ状態で前記ガラス嵌合溝凹部同士がビスにより接合されている請求項１〜２いずれかに記載の低階層建物用サッシ及びカーテンウォールが提供される。
【００１０】
【発明の実施の形態】
以下、本発明の実施の形態について図面を参照しながら詳述する。
【００１１】
〔第１形態例〕
図１は本発明に係る低階層建物用サッシ１の姿図（１階部分）であり、図２は図１のII−II線矢視図、図３は図１のIII−III線矢視図である。
【００１２】
図示される低階層建物用サッシ１では、上枠２、下枠３、中間方立４，４…、端部方立５，５および中間横枠６，７によって開口枠が夫々形成され、これら開口枠にドア２０が設置されたり、ガラス（または透明または半透明樹脂板）Ｇ、Ｇ…が嵌め込まれている。
【００１３】
以下、前記ガラス嵌め込み部について詳述すると、前記上枠２は、図２に示されるように、上枠本体２Ａの室外面側より延在する中空逆Ｌ字部２ａと前記上枠本体２Ａとにより下面側に開口を臨ませたガラス嵌合溝２ｂが形成された部材が使用され、前記中間横枠６は、中空の横枠本体６Ａの室外側面よりビード支持片６ａ、押縁掛止片６ｂおよび下方側垂下片６ｃが夫々延在し、前記ビード支持片６ａと前記押縁掛止片６ｂに掛止された押縁１０とにより上側ガラス嵌合溝６ｄが形成されているとともに、前記下方側垂下片６ｃと横枠本体６Ａとにより下側ガラス嵌合溝６ｅが形成されている。
【００１４】
前記下枠３は、下端側が床面に埋め込まれた中空部材で、上面側にはビード支持片３ａが設けられているとともに、水平方向に突出した押縁掛止片３ｂが設けられ、前記ビード支持片３ａと前記押縁掛止片３ｂに掛止された押縁１０とによりガラス嵌合溝３ｄが設けられている。
【００１５】
一方、端部方立５は、図３に示されるように、前記上枠２と同一部材が使用され、部材種類の低減が図られている。この場合、中空逆Ｌ字部２ａの上下端部には夫々シール受け１５が設けられ、不定形シール材によって開口が封鎖されている。
【００１６】
また、中間部に配置された中間方立４は、一方側分割方立８と他方側分割方立９とを組み合わせて所定の閉合断面を成す分割式方立が使用されている。分割方立８、９及び端部方立５と、上枠２，中間横枠６及び下枠３等の横方向部材とは、前記分割方立８、９及び端部方立５側から横方向部材に形成されたビスポケットに向けて螺入させたビス１６、１６…により連結されている。
【００１７】
ガラスＧは、四周縁の室内側及び室外側においてそれぞれ支持されている。すなわち、図２に示されるように、上枠２では上枠本体２Ａに設けられたビード嵌合溝２ｃに取り付けられたビード１２、中間横枠６および下枠３ではビード支持片６ａ、３ａ先端のビード嵌合溝６ｆ，３ｃに取り付けられたビード１２によって背面側（室内側）縁部が支持されるとともに、室外側縁部ではバックアップ材１３および不定形シール材１４により支持されている。また、ガラスＧの左右縁部では図３に示されるように、端部方立５のビード嵌合溝５ｃに取り付けられたビード１２、中間方立４では一方側分割方立８のガラス嵌合溝８ｉ内に形成されたビード嵌合溝８ｊに取付けられたビード１２、他方側分割方立９のガラス嵌合溝９ｈ内に形成されたビード嵌合溝９ｉに取り付けられたビード１２によってガラスＧの背面側（室内側）両側部が支持されているとともに、室外側縁部ではバックアップ材１３および不定形シール材１４により夫々支持されている。
【００１８】
前記分割方立４の構造をさらに図４の詳細断面図に基づいて詳述する。本分割方立４では付け幅および見込み幅を極力小さくしてコンパクト化を図りながらも、負圧や正圧が作用しても十分な抵抗力を示すようにし、分割方立の接合部に隙間が生じたりしないようになっている。
【００１９】
すなわち、前記一方側分割方立８は、室外側部分に見付け面の全幅をカバーする室外側壁面８ａと、この室外側壁８ａの端部から延在してガラス嵌合溝８ｉを形成する凹状部８ｂと、他方側分割方立９と組み合わせた状態時に中空部を形成する見込み壁面８ｃと、この見込み壁面８ｃの室内側端からＬ字状に屈曲して室内側面の略半分を分担する背面側壁面８ｄとから構成される部材で、他方側分割方立９との接合部となる前記室外側壁面８ａの先端内面側には段部８ｅが形成されているとともに、前記段部８ｅから内方側に若干離間した位置に断面略Ｌ字状の室外側係合片８ｆが形成されている。一方、室内側においては他方側分割方立９との接合部となる前記背面側壁面８ｄの内面側に断面略Ｌ字状の室内側係合片８ｇが形成されている。前記室外側係合片８ｆ及び室内側係合片８ｇが、本発明における「一方側係合片」を構成している部材である。
【００２０】
他方、前記他方側分割方立９は、室外側部分に前記一方側分割方立８の室外側壁面８ａの段部８ｅに室内側から当接する衝合片９ａと、この衝合片９ａと対面して形成された室外側係合片９ｂと、ガラス嵌合溝９ｈを形成する凹状部９ｃと、一方側分割方立８と組み合わせた状態時に中空部を形成する見込み壁面９ｄと、この見込み壁面９ｄの室内側端からＬ字状に屈曲して室内側面の略半分を分担する背面側壁面９ｅと、この背面側壁面９ｅから延在して形成された室内側係合片９ｆとから構成される部材で、前記衝合片９ａと室外側係合片９ｂ間には室外側タイト材１７が横架されているとともに、前記室内側係合用突条片９ｆには室内側タイト材１８が取り付けられている。前記室外側係合片９ｂ及び室内側係合片９ｆが、本発明における「他方側係合片」を構成している部材である。
【００２１】
前記一方側分割方立８と他方側分割方立９とを組み合わせた状態では、一方側分割方立８の室外側係合片８ｆと、他方側分割方立９の室外側係合片９ｂとが係合するとともに、一方側分割方立８の室内側係合片８ｇと他方側分割方立９の室内側係合片９ｆとが係合しながら組み合わされることにより閉合断面が構成され、前記一方側分割方立８と他方側分割方立９とが相互に室外側方向及び室内側方向の変位が規制されるようになっている。また同時に、前記一方側分割方立８の室外側壁面８ａ先端の段部８ｅに対し、他方側分割方立９の衝合片９ａが室内側から当接することにより、前記一方側分割方立８の室内側方向の変位及び前記他方側分割方立９の室外側方向の変位が夫々規制されるようになっている。このように、分割方立８，９の組み合わせ状態で相互に変位規制するように係合部を設けることにより、方立断面のコンパクト化が図れるようになるとともに、負圧や正圧が作用しても十分な抵抗力を示すようになり、分割方立の接合部分に隙間が生じたりしないようになる。
【００２２】
また、前記一方側分割方立８と他方側分割方立９との組み合わせ状態で、分割方立同士８，９の室内側接合部は、方立断面の室内外方向中心線Ｌを挟んで前記室外面側接合部とは反対側に位置するようになっており、相対的に断面積が小さくなりがちな他方側分割方立９の室内側部分に前記背面側壁面９ｅの部分が確保することによって断面剛性の向上が図られるようになっている。さらに、前記一方側分割方立８の凹状部８ｂと、他方側分割方立９の凹状部９ｃとが対面合わせで密着するとともに、ビス１９により堅固に接合され、分割方立８，９の一体化が図られている。
【００２３】
他方、前記一方側分割方立８と他方側分割方立９との組み合わせ状態で、他方側分割方立９に設けられた室外側タイト材１７および室内側タイト材１８の舌片１７ａ、１８ａが一方側分割方立８側に接触することにより水密性が確保されるようになっている。室外側タイト材１７で遮断された雨水はそのまま下方側に流下され外部に排出される。
【００２４】
上記低階層建物用サッシ１の施工に当たっては、端部では前記端部方立５と一方側分割方立８とを縦方向組部材とし、かつ中間部分では一方側分割方立８とガラスＧを跨いで隣接する他方側分割方立９とを縦方向組部材とし、そして前記上枠２、中間横枠６および下枠３からなる横方向部材によって枠組みされたユニットを一単位として施工が行われる。
【００２５】
ところで、前記方立４の断面形状は、窓寸法が大きい場合には、図５に示されるように、見込み幅を長くした方立４’を使用することによって対応が可能である。かかる分割方立４’では、分割方立８’の内面側にそれぞれ断面Ｌ字状の補強片８ｈ，８ｈが設けられているとともに、分割方立９’の内面側にそれぞれ断面Ｌ字状の補強片９ｇ，９ｇが設けられている。これら補強片８ｈ…、９ｇ…には、図８に示されるように、断面剛性向上のために補強鋼板３０を設けることもできる。その他の構造については前記方立４と全く同様であるため、同符号を付して説明は省略する。
【００２６】
〔第２形態例〕
次いで、図６〜図１０に示される低階層建物用（３階建て）カーテンウォールについて詳述する。図６は低階層建物用（３階建て）カーテンウォール１Ａの姿図であり、図７は図６のVII−VII線矢視図、図８は図６のVIII−VIII線矢視図である。
【００２７】
無目２０は、図７に示されるように、室外側部分の構造が上記第１形態例における中間横枠６の室外側部分と同様とされ、中空本体部２０Ａの見込み寸法のみが異なる形材が使用されている。すなわち、無目２０は中空本体部２０Ａの室外側面よりビード支持片２０ａ、押縁掛止片２０ｂおよび下方側垂下片２０ｃが夫々延在し、前記ビード支持片２０ａと前記押縁掛止片２０ｂに掛止された押縁１０により上側ガラス嵌合溝２０ｄが形成されているとともに、前記下方側垂下片２０ｃと横枠本体２０Ａとにより下側ガラス嵌合溝２０ｅが形成されている。
【００２８】
一方、方立は図５に示される方立４’がそのまま使用されている。従って、説明は省略する。
【００２９】
前記方立４’は、図９及び図１０に示されるように、各階毎に躯体２３に対してファスナー２５を介して固定されている。具体的には、躯体２３に対し断面Ｌ字状の埋込アンカー２４が埋設固定されるとともに、この埋込アンカー２４に対し同じく断面Ｌ字状のファスナー２５が溶接によって固定され、一方、方立４’の上端部に断面Ｌ字状の取付け金具２６がボルト・ナット２７，２７によって固定され、前記ファスナー２５と取付け金具２６とがボルト・ナット２８によって連結されている。下段側方立４’と上段側方立４’とは、前記取付け金具２６の固定と共に、方立内部に固定された接続用挿入部材２９，２９の上半部が上段側方立４’の下端開口に挿入されることによって方立４’の連続性が確保されるようになっている。
【００３０】
施工に当たっては、一方側分割方立８とガラスＧを跨いで隣接する他方側分割方立９とを縦方向組み部材とし、そして無目２０によってハシゴ形に枠組みされたユニットを一単位として施工が行われる。
【００３１】
かかる低階層建物用カーテンウォール１Ａにおいても、上記低階層建物用サッシ１と同様に、方立の見付け寸法及び見込み寸法を小さくできるようになるとともに、方立に負圧や正圧が作用しても十分な抵抗力を示すようになり、方立の境界部、特に室外側境界部に隙間が生じたりしないようになる。また、１階部分に方立見付け幅を小さくし、すっきりした印象を与える店舗用窓を作りながら、２階及び３階部分に連続したデザインのカーテンウォールを設置することが可能となる。
【００３２】
【発明の効果】
以上詳説のとおり本発明によれば、前記方立部材の見付け幅を、または見付け幅及び見込み幅を極力小さくしてコンパクト化を図りながらも、負圧や正圧が作用しても十分な抵抗力を示すようになり、分割方立の接合部分に隙間が生じたりしないようになる。
【図面の簡単な説明】
【図１】  本発明に係る低階層建物用サッシ１の姿図（１階部分）である。
【図２】  図１のII−II線矢視図である。
【図３】  図１のIII−III線矢視図である。
【図４】  方立４断面の拡大図である。
【図５】  見込み寸法を大きくした場合の方立４’の断面図である。
【図６】  低階層建物用（３階建て）カーテンウォール１Ａの姿図である。
【図７】  図６のVII−VII線矢視図である。
【図８】  図６のVIII−VIII線矢視図である。
【図９】  方立支持部の側面図である。
【図１０】  方立支持部の平面図である。
【図１１】  従来の方立断面図である。
【符号の説明】
１…低階層建物用サッシ、１Ａ…低階層建物用カーテンウォール、２…上枠、３…下枠、４…中間方立、５…端部方立、６・７…中間横枠、８…一方側分割方立、９…他方側分割方立、８ｆ・９ｂ…室外側係合片、８ｇ・９ｆ…室内側係合片、８ｅ…段部、９ａ…衝合片、１７・１８…タイト材、１９…ビス
【図１】
0003844200.tif 000002
【図２】
0003844200.tif 000003
【図３】
0003844200.tif 000004
【図４】
0003844200.tif 000005
【図５】
0003844200.tif 000006
【図６】
0003844200.tif 000007
【図７】
0003844200.tif 000008
【図８】
0003844200.tif 000009
【図９】
0003844200.tif 000010
【図１０】
0003844200.tif 000011
【図１１】
0003844200.tif 000012